(57)【要約】【課題】  狭トラック化に対応してトラック追従性を良好にすること。【解決手段】  アクトベース２上のガイドレール１２にフォーカス方向ａに移動可能に係合する可動枠体１３が設けられると共に、該可動枠体１３の内部空間１３ａに対物レンズＯＬ付きレンズホルダ１が配置され、可動枠体１３にフォーカスコイル４が固着され、可動枠体１３とレンズホルダ１との間に圧電素子１４が配置され、レンズホルダ１及び可動枠体１３を間に挟んで対向する一対のマグネット６がアクトベース２上に固定されており、フォーカスコイル４に通電することにより圧電素子１４を介してレンズホルダ１をフォーカス方向ａに駆動し、圧電素子１４に通電することによりレンズホルダ１をトラッキング方向ｂに駆動する。【選択図】        図４
2005293789.tif 000002
【特許請求の範囲】
【請求項１】
アクトベース上に配置した対物レンズ付きレンズホルダにフォーカス
コイルとトラッキングコイルとが固着され、そのレンズホルダを間に挟んで対向する一対
のマグネットがアクトベース上に固定されており、前記各コイルに通電することによりレ
ンズホルダをフォーカス方向及びトラッキング方向に駆動するようにした光ピックアップ
において、前記アクトベース上のガイドレールにフォーカス方向に移動可能に係合する可
動枠体が設けられると共に、該可動枠体の内部空間に前記レンズホルダが配置され、前記
フォーカスコイルがレンズホルダから可動枠体に位置変更され、前記トラッキングコイル
に代えて圧電素子が用いられ、該圧電素子が可動枠体とレンズホルダとの間に配置されて
おり、フォーカスコイルに通電することによりレンズホルダをフォーカス方向に駆動し、
圧電素子に通電することによりレンズホルダをトラッキング方向に駆動するようにしたこ
とを特徴とする光ピックアップ。
【請求項２】
アクトベース上に配置した対物レンズ付きレンズホルダにフォーカス
コイルとトラッキングコイルとが固着され、そのレンズホルダを間に挟んで対向する一対
のマグネットがアクトベース上に固定されており、前記各コイルに通電することによりレ
ンズホルダをフォーカス方向及びトラッキング方向に駆動するようにした光ピックアップ
において、前記アクトベース上の支持部材に弾性ワイヤを介して可動枠体がフォーカス方
向及びトラッキング方向に移動可能に支持されると共に、該可動枠体の内部空間に前記レ
ンズホルダが配置され、前記フォーカスコイル及びトラッキングコイルがレンズホルダか
ら可動枠体に位置変更され、その可動枠体とレンズホルダとの間に圧電素子が配置されて
おり、フォーカスコイルに通電することによりレンズホルダをフォーカス方向に駆動し、
トラッキングコイル及び圧電素子に通電することによりレンズホルダをトラッキング方向
に駆動するようにしたことを特徴とする光ピックアップ。
【請求項３】
対物レンズ付きレンズホルダがアクトベース上にフォーカス方向及び
トラッキング方向に移動可能に配置された光ピックアップにおいて、前記アクトベースに
支持機構を介して可動枠体が移動可能に配置され、該可動枠体の内部空間に前記レンズホ
ルダが配置され、その可動枠体とレンズホルダとの間に圧電素子が配置され、前記可動枠
体にフォーカスコイルが配置され、前記レンズホルダ及び可動枠体を間に挟んで対向する
一対のマグネットがアクトベース上に固定されており、フォーカスコイルに通電すること
によりレンズホルダをフォーカス方向に駆動し、圧電素子に通電することによりレンズホ
ルダをトラッキング方向に駆動するようにしたことを特徴とする光ピックアップ。
【請求項４】
前記支持機構が、アクトベースから切り起こした一対のガイドレール
からなり、該両ガイドレール間に可動枠体がフォーカス方向に移動可能に係合されている
ことを特徴とする請求項３に記載の光ピックアップ。
【請求項５】
前記支持機構が、アクトベース上に固定した支持部材と、該支持部材
に前記可動枠体をフォーカス方向及びトラッキング方向に移動可能に連結する弾性ワイヤ
とからなることを特徴とする請求項３に記載の光ピックアップ。
【請求項６】
前記可動枠体にトラッキングコイルが配置されていることを特徴とす
る請求項５に記載の光ピックアップ。
【発明の詳細な説明】
【技術分野】
【０００１】
本発明は、ＤＶＤやＣＤなどのディスクプレーヤに用いる光ピックアップに関する。
【背景技術】
【０００２】
従来、光ピックアップの技術として特許文献１などに記載したものがあり、その一例を
図１１〜図１３に基づいて説明すると、これは、対物レンズＯＬ付きレンズホルダ１がア
クトベース２上のガイドシャフト３にフォーカス方向ａ及びトラッキング方向ｂに移動可
能に配置されると共に、該レンズホルダ１にフォーカスコイル４とトラッキングコイル５
とが固着され、そのレンズホルダ１を間に挟んで対向する一対のマグネット６がアクトベ
ース２上に固定されている。なお、７は光ピックアップ本体８を貫通してアクトベース２
のねじ孔２ａに螺合する一対の角度調整ねじ、９はアクトベース２の挿通孔２ｂに挿通さ
れて光ピックアップ本体８に螺着された押さえねじ、１０は該押さえねじ９の頭部とアク
トベース２との間に介在させたコイルばね、ＱＷＰはコリメータレンズ、Ｄはディスクで
ある。
【０００３】
光ピックアップの作用を説明すると、レーザ光をコリメータレンズＱＷＰ及び対物レン
ズＯＬを介してディスクＤに投射し、各コイル４，５に通電することにより励磁して、レ
ンズホルダ１をガイドシャフト３に沿ってフォーカス方向ａ及びトラッキング方向ｂに駆
動し、対物レンズＯＬの焦点をディスクＤに合わせ所定のトラックに追従させる。
【特許文献１】特開平１−１６５９１９号公報
【発明の開示】
【発明が解決しようとする課題】
【０００４】
上記従来の構成では、レンズホルダ１の重量がフォーカスコイル４及びトラッキングコ
イル５を固着していることから比較的重く、しかも、そのレンズホルダ１がフォーカス方
向ａとトラッキング方向ｂとの２方向に同時に動いて相互に干渉しあうため、ブルーレイ
方式などのように狭トラック化が進むのに対応して対物レンズＯＬの焦点をディスクＤの
所定のトラックに高速で追従させることが困難である。
【０００５】
本発明は、上記従来の欠点に鑑み、狭トラック化に対応してトラック追従性を良好にし
た光ピックアップを提供することを目的としている。
【課題を解決するための手段】
【０００６】
上記目的を達成するため、請求項１に記載の発明は、アクトベース上に配置した対物レ
ンズ付きレンズホルダにフォーカスコイルとトラッキングコイルとが固着され、そのレン
ズホルダを間に挟んで対向する一対のマグネットがアクトベース上に固定されており、前
記各コイルに通電することによりレンズホルダをフォーカス方向及びトラッキング方向に
駆動するようにした光ピックアップにおいて、前記アクトベース上のガイドレールにフォ
ーカス方向に移動可能に係合する可動枠体が設けられると共に、該可動枠体の内部空間に
前記レンズホルダが配置され、前記フォーカスコイルがレンズホルダから可動枠体に位置
変更され、前記トラッキングコイルに代えて圧電素子が用いられ、該圧電素子が可動枠体
とレンズホルダとの間に配置されており、フォーカスコイルに通電することによりレンズ
ホルダをフォーカス方向に駆動し、圧電素子に通電することによりレンズホルダをトラッ
キング方向に駆動するようにしたことを特徴としている。
【０００７】
請求項２に記載の発明は、アクトベース上に配置した対物レンズ付きレンズホルダにフ
ォーカスコイルとトラッキングコイルとが固着され、そのレンズホルダを間に挟んで対向
する一対のマグネットがアクトベース上に固定されており、前記各コイルに通電すること
によりレンズホルダをフォーカス方向及びトラッキング方向に駆動するようにした光ピッ
クアップにおいて、前記アクトベース上の支持部材に弾性ワイヤを介して可動枠体がフォ
ーカス方向及びトラッキング方向に移動可能に支持されると共に、該可動枠体の内部空間
に前記レンズホルダが配置され、前記フォーカスコイル及びトラッキングコイルがレンズ
ホルダから可動枠体に位置変更され、その可動枠体とレンズホルダとの間に圧電素子が配
置されており、フォーカスコイルに通電することによりレンズホルダをフォーカス方向に
駆動し、トラッキングコイル及び圧電素子に通電することによりレンズホルダをトラッキ
ング方向に駆動するようにしたことを特徴としている。
【０００８】
請求項３に記載の発明は、対物レンズ付きレンズホルダがアクトベース上にフォーカス
方向及びトラッキング方向に移動可能に配置された光ピックアップにおいて、前記アクト
ベースに支持機構を介して可動枠体が移動可能に配置され、該可動枠体の内部空間に前記
レンズホルダが配置され、その可動枠体とレンズホルダとの間に圧電素子が配置され、前
記可動枠体にフォーカスコイルが配置され、前記レンズホルダ及び可動枠体を間に挟んで
対向する一対のマグネットがアクトベース上に固定されており、フォーカスコイルに通電
することによりレンズホルダをフォーカス方向に駆動し、圧電素子に通電することにより
レンズホルダをトラッキング方向に駆動するようにしたことを特徴としている。
【０００９】
請求項４に記載の発明は、請求項３に記載の発明において、前記支持機構が、アクトベ
ースから切り起こした一対のガイドレールからなり、該両ガイドレール間に可動枠体がフ
ォーカス方向に移動可能に係合されていることを特徴としている。
【００１０】
請求項５に記載の発明は、請求項３に記載の発明において、前記支持機構が、アクトベ
ース上に固定した支持部材と、該支持部材に前記可動枠体をフォーカス方向及びトラッキ
ング方向に移動可能に連結する弾性ワイヤとからなることを特徴としている。
【００１１】
請求項６に記載の発明は、請求項５に記載の発明において、前記可動枠体にトラッキン
グコイルが配置されていることを特徴としている。
【発明の効果】
【００１２】
請求項１に記載の発明は、第１の実施の形態（図１〜図５参照）に対応するものであっ
て、これによれば、レンズホルダの重量がフォーカスコイル及びトラッキングコイルを固
着していない分だけ従来よりもかなり軽くなっており、しかも、フォーカス方向に移動可
能な可動枠体を別個に設けることにより、レンズホルダをトラッキング方向に駆動するだ
けでよいから、ブルーレイ方式などのように狭トラック化が進むのに対応してトラック制
御周波数帯域を高く設定し、トラック追従性を良好にすることができる。
【００１３】
また、可動枠体とレンズホルダとの間に配置した圧電素子に通電することにより、該レ
ンズホルダのトラッキング方向への駆動制御を精密に行うことができる。
【００１４】
更に、可動枠体をフォーカス方向に移動可能に支持する一対のガイドレールがアクトベ
ースから切り起こされており、構造簡単で部品点数が増加せず、製作費を安くすることが
できる。
【００１５】
請求項２に記載の発明は、第２の実施の形態（図６〜図１０参照）に対応するものであ
って、これによれば、請求項１に記載の発明とほぼ同じ効果を得るとことができ、特に、
支持部材及び弾性ワイヤからなる支持機構により可動枠体をフォーカス方向及びトラッキ
ング方向に移動可能に確実に支持することができると共に、圧電素子とトラッキングコイ
ルとの相乗作用によりレンズホルダのトラッキング方向への駆動制御を一層精密に行うこ
とができる。
【００１６】
請求項３に記載の発明は、本発明の基本形態を示すものであって、これによれば、レン
ズホルダの重量がフォーカスコイル及びトラッキングコイルを固着していない分だけ従来
よりもかなり軽くなっており、しかも、フォーカス方向に移動可能な可動枠体を別個に設
けることにより、レンズホルダをトラッキング方向に駆動するだけでよいから、ブルーレ
イ方式などのように狭トラック化が進むのに対応してトラック制御周波数帯域を高く設定
し、トラック追従性を良好にすることができる。
【００１７】
また、可動枠体とレンズホルダとの間に配置した圧電素子に通電することにより、該レ
ンズホルダのトラッキング方向への駆動制御を精密に行うことができる。
【００１８】
請求項４に記載の発明によれば、可動枠体をフォーカス方向に移動可能に支持する一対
のガイドレールがアクトベースから切り起こされており、構造簡単で部品点数が増加せず
、製作費を安くすることができる。
【００１９】
請求項５に記載の発明によれば、支持部材及び弾性ワイヤからなる支持機構により可動
枠体をフォーカス方向及びトラッキング方向に移動可能に確実に支持することができる。
【００２０】
請求項６に記載の発明によれば、圧電素子とトラッキングコイルとの相乗作用によりレ
ンズホルダのトラッキング方向への駆動制御を一層精密に行うことができる。
【発明を実施するための最良の形態】
【００２１】
図１〜図５は本発明の第１の実施の形態である光ピックアップを示すものであって、ア
クトベース２から左右一対のガイドレール（支持機構）１２が切り起こされ、該両ガイド
レール１２間に平面視略ロ字状の合成樹脂製可動枠体１３がフォーカス方向ａに移動可能
に係合され、該可動枠体１３の内部空間１３ａにレンズホルダ１が配置され、可動枠体１
３の外周面にフォーカスコイル４が固着され、可動枠体１３とレンズホルダ１との間に圧
電素子１４が配置されている。上記以外の構成は図１１〜図１３に示す構成とほぼ同じで
あるから、同一部分に同一符号を付してその説明を省略する。
【００２２】
光ピックアップの作用を説明すると、レーザ光をコリメータレンズＱＷＰ及び対物レン
ズＯＬを介してディスクＤに投射し、フォーカスコイル４に通電することにより励磁して
、可動枠体１３をガイドレール１２に沿ってフォーカス方向ａに駆動することにより、圧
電素子１４を介してレンズホルダ１を同方向ａに駆動し、その駆動力を可動枠体１３とガ
イドレール１２との間のクーロン摩擦で減衰させる。また、圧電素子１４に通電すること
によりレンズホルダ１をトラッキング方向ｂに駆動し、対物レンズＯＬの焦点をディスク
Ｄに合わせて所定のトラックに追従させる。
【００２３】
上記構成によれば、レンズホルダ１の重量がフォーカスコイル４及びトラッキングコイ
ル５（図１１参照）を固着していない分だけ従来よりもかなり軽くなっており、しかも、
フォーカス方向ａに移動可能な可動枠体１３を別個に設けることにより、レンズホルダ１
をトラッキング方向ｂに駆動するだけでよいから、従来のようにレンズホルダ１がフォー
カス方向ａとトラッキング方向ｂとの２方向に同時に動いて相互に干渉しあうことが無く
なり、ブルーレイ方式などのように狭トラック化が進むのに対応してトラック制御周波数
帯域を５０ＫＨｚ以上に高く設定し、トラック追従性を良好にすることができる。
【００２４】
また、可動枠体１３とレンズホルダ１との間に配置した圧電素子１４に通電することに
より、該レンズホルダ１のトラッキング方向ｂへの駆動制御を精密に行うことができる。
【００２５】
更に、可動枠体１３をフォーカス方向ａに移動可能に支持する一対のガイドレール１２
がアクトベース２から切り起こされており、構造簡単で部品点数が増加せず、製作費を安
くすることができる。
【００２６】
図６〜図１０は本発明の第２の実施の形態である光ピックアップを示すものであって、
アクトベース２に固着した支持部材１６ａと、該支持部材１６ａから延びて可動枠体１３
に連結された複数の弾性ワイヤ１６ｂからなる支持機構１６により可動枠体１３がフォー
カス方向ａ及びトラッキング方向ｂに移動可能に支持されている。なお、１７は支持部材
１６ａに係止したプリント基板であって、各弾性ワイヤ１６ｂを介してトラッキングコイ
ル５及び圧電素子１４に通電する。上記以外の構成は第１の実施の形態（図１〜図５参照
）とほぼ同じであるから、同一部分に同一符号を付してその説明を省略する。
【００２７】
光ピックアップの作用を説明すると、第１の実施の形態と同様に、レーザ光をコリメー
タレンズＱＷＰ及び対物レンズＯＬを介してディスクＤに投射し、フォーカスコイル４に
通電することにより励磁して、可動枠体１３をフォーカス方向ａに駆動することにより、
圧電素子１４を介してレンズホルダ１を同方向ａに駆動する。また、圧電素子１４及びま
たはトラッキングコイル５に通電することにより、レンズホルダ１をトラッキング方向ｂ
に駆動し、対物レンズＯＬの焦点をディスクＤに合わせて所定のトラックに追従させる。
【００２８】
ここで、例えばディスクＤのトラック幅が狭い場合には、圧電素子１４のみに通電して
レンズホルダ１を狭幅で微細に駆動して所定のトラックに追従させるか、トラッキングコ
イル５に通電してレンズホルダ１を広幅で駆動して所定のトラックに大まかに追従させる
と共に、圧電素子１４に通電してレンズホルダ１を狭幅で駆動して所定のトラックに微細
に追従させる。前者は、ディスクＤに狭小トラックが緻密に形成されている場合に適し、
後者は、狭小トラックを最短時間で追従する場合に適している。
【００２９】
また、例えばディスクＤのトラック幅が広い場合には、圧電素子１４に通電せず、トラ
ッキングコイル５のみに通電してレンズホルダ１を広幅で駆動して所定のトラックに追従
させる。この場合、広幅トラックを高速で追従する場合に適している。
【００３０】
以上要するに、ディスクＤのトラック幅やトラックの緻密度などに合わせて、圧電素子
１４のみを駆動、圧電素子１４とトラッキングコイル５とを駆動、トラッキングコイル５
のみを駆動するという３通りの使い分けを行うことができる。
【００３１】
上記構成によれば、第１の実施の形態とほぼ同じ効果を得るとことができ、特に、支持
部材１６ａ及び弾性ワイヤ１６ｂからなる支持機構１６により可動枠体１３をフォーカス
方向ａ及びトラッキング方向ｂに移動可能に確実に支持することができると共に、圧電素
子１４とトラッキングコイル５との相乗作用によりレンズホルダ１のトラッキング方向ｂ
への駆動制御を一層精密に行うことができる。
【図面の簡単な説明】
【００３２】
【図１】本発明の第１の実施の形態である光ピックアップの水平断面図である。
【図２】図１のＡ−Ａ矢視図である。
【図３】図１のＢ−Ｂ矢視図である。
【図４】同斜視図である。
【図５】同分解斜視図である。
【図６】本発明の第２の実施の形態である光ピックアップの水平断面図である。
【図７】図１のＣ−Ｃ矢視図である。
【図８】図１のＤ−Ｄ矢視図である。
【図９】同斜視図である。
【図１０】同分解斜視図である。
【図１１】従来例を示す平面図である。
【図１２】図１１のＥ−Ｅ矢視図である。
【図１３】図１１のＦ−Ｆ矢視図である。
【符号の説明】
【００３３】
１        レンズホルダ
２        アクトベース
４        フォーカスコイル
５        トラッキングコイル
６        マグネット
１２      ガイドレール（支持機構）
１３      可動枠体
１３ａ    可動枠体の内部空間
１４      圧電素子
１６      支持機構
１６ａ    支持部材
１６ｂ    弾性ワイヤ
ＯＬ      対物レンズ
Ｄ        ディスク
ａ        フォーカス方向
ｂ        トラッキング方向
【図１】
2005293789.tif 000003
【図２】
2005293789.tif 000004
【図３】
2005293789.tif 000005
【図４】
2005293789.tif 000006
【図５】
2005293789.tif 000007
【図６】
2005293789.tif 000008
【図７】
2005293789.tif 000009
【図８】
2005293789.tif 000010
【図９】
2005293789.tif 000011
【図１０】
2005293789.tif 000012
【図１１】
2005293789.tif 000013
【図１２】
2005293789.tif 000014
【図１３】
2005293789.tif 000015